(57)【要約】【課題】装着することで、容器に熱い飲料等が充填されていても把持しやすくすることのできる蓋を提供する。【解決手段】本発明の蓋１は、容器の開口部に装着する蓋であって、外周に前記容器の開口部の縁と嵌合する嵌合溝２を有する天板部３と、前記嵌合部２の外周の少なくとも一部と連続して設けられ、前記天板部３に対して下方に折り曲げられたときに、少なくとも前記容器の開口部側の外側面を覆うように構成された舌片４と、前記舌片４が下方に折り曲げられたときに、前記舌片４を前記天板部３に対して下方に向けて固定する固定部５とを備えたことを特徴とする。【選択図】図１
2008184212.tif 000002
【特許請求の範囲】
【請求項１】
容器の開口部に装着する蓋であって、
外周に前記容器の開口部の縁と嵌合する嵌合部を有する天板部と、
前記嵌合部の外周の少なくとも一部と連続して設けられ、前記天板部に対して下方に折り曲げられたときに、少なくとも前記容器の開口部側の外側面を覆うように構成された把持部と、
前記把持部が下方に折り曲げられたときに、前記把持部を前記天板部に対して下方に向けて固定する固定部と、
を備えたことを特徴とする蓋。
【請求項２】
前記固定部は、前記嵌合部から延出して設けられた第１係合突起と、前記把持部から延出して設けられ、前記第１係合突起と係合する第２係合突起とを有することを特徴とする請求項１に記載の蓋。
【請求項３】
前記第１係合突起と前記第２係合突起とは一体に成形されており、前記第１係合突起と前記第２係合突起との間に設けられた折り曲げ補助部に沿って折り曲げることで前記第１係合突起と前記第２係合突起とが係合するように形成されていることを特徴とする請求項２に記載の蓋。
【請求項４】
前記把持部は、前記天板部に対して略下方に折り曲げられたときに、前記容器の開口部側の外側面を全周にわたって覆っていることを特徴とする請求項１又は２のいずれか１項に記載の蓋。
【請求項５】
前記固定部は、前記嵌合部から延出して設けられ、前記天板部に対して下方に突出する一対の挟持凸部を有し、
前記把持部は、周縁部と、前記周縁部より落ち込んで形成された中央部とを有し、
前記把持部が前記天板部に対して下方に折り曲げられたときに、前記中央部が前記挟持凸部の間に進入して挟持されることによって前記把持部が前記天板部に対して下方に向けて固定されることを特徴とする請求項１に記載の蓋。
【請求項６】
前記把持部には凹凸部が設けられていることを特徴とする請求項１から５のいずれか１項に記載の蓋。
【請求項７】
前記天板部には飲み口が設けられていることを特徴とする請求項１から６のいずれか１項に記載の蓋。
【発明の詳細な説明】
【技術分野】
【０００１】
本発明は、飲料等の容器の開口部に装着する蓋に関する。
【背景技術】
【０００２】
従来、紙コップ等の容器に熱い飲料や食品等を入れて飲食用に供する際には、そのままでは熱くて把持することが困難であるため、容器の表面に発泡層を設けて容器の側面に断熱性を付与することによって、熱い飲料等が入っていても把持しやすく構成されたものが提案されている（例えば、特許文献１参照）。
また、カップ麺やスープ、味噌汁などの、熱湯を注いで調理して食する食品用の容器として、カップ状容器を二重構造として断熱空間を持たせたものが広く採用されている（例えば、特許文献２参照。）。
【特許文献１】特許第３０１４６２９号公報
【特許文献２】実用新案登録第２５７１７９７号公報
【発明の開示】
【発明が解決しようとする課題】
【０００３】
しかしながら、上記特許文献１に開示された技術では、断熱効果が充分ではない。特に、８０℃以上の飲料等が入っている場合、特許文献１の容器でも熱くて把持することは困難である。このような場合、ある程度飲料等の温度が下がるまで、飲食ができず、飲料等の風味を充分楽しめない場合がある。
また、上記特許文献２に記載された容器は、比較的高い断熱性を有するものの、構造が複雑で高価であるという欠点がある。
【０００４】
本発明は上記事情に鑑みて成されたものであり、装着することで、容器に熱い飲料等が充填されていても把持しやすくすることのできる蓋を提供することを目的とする。
【課題を解決するための手段】
【０００５】
本発明の蓋は、容器の開口部に装着する蓋であって、外周に前記容器の開口部の縁と嵌合する嵌合部を有する天板部と、前記嵌合部の外周の少なくとも一部と連続して設けられ、前記天板部に対して下方に折り曲げられたときに、少なくとも前記容器の開口部側の外側面を覆うように構成された把持部と、前記把持部が下方に折り曲げられたときに、前記把持部を前記天板部に対して下方に向けて固定する固定部とを備えたことを特徴とする。
【０００６】
本発明の蓋を容器に装着した際には、把持部を前記天板部に対して略下方に折り曲げると、固定部によって把持部が下方に向けて固定されることによって、把持部の上から容器を把持することができるため、容器に熱い飲料等が充填されていても、その熱が把持する手に伝導しにくい。
【０００７】
前記固定部は、前記嵌合部から延出して設けられた第１係合突起と、前記把持部から延出して設けられ、前記第１係合突起と係合する第２係合突起とを有するものでもよい。
【０００８】
前記第１係合突起と前記第２係合突起とは一体に成形されており、前記第１係合突起と前記第２係合突起との間に設けられた折り曲げ補助部に沿って折り曲げることで前記第１係合突起と前記第２係合突起とが係合するように形成されてもよい
【０００９】
前記把持部は、前記天板部に対して略下方に折り曲げられたときに、前記容器の開口部側の外側面を全周にわたって覆っていてもよい。
【００１０】
前記固定部は、前記嵌合部から延出して設けられ、前記天板部に対して下方に突出する一対の挟持凸部を有し、前記把持部は、周縁部と、前記周縁部より落ち込んで形成された中央部とを有し、前記把持部が前記天板部に対して下方に折り曲げられたときに、前記中央部が前記挟持凸部の間に進入して挟持されることによって前記把持部が前記天板部に対して下方に向けて固定されるものでもよい。
【００１１】
前記把持部には凹凸部が設けられていてもよい。また、前記天板部には飲み口が設けられていてもよい。
【発明の効果】
【００１２】
本発明の蓋によれば、容器に充填された飲料等の熱が把持部を把持する手に伝導しにくいので、熱い飲料等が容器に充填されていても、容器に装着することによって把持しやすくすることができる。
【発明を実施するための最良の形態】
【００１３】
以下、本発明の第１実施形態の蓋について、図１から図３を参照して説明する。
図１は本実施形態の蓋１の平面図である。本実施形態の蓋１は、紙コップ等の容器の開口部に装着する蓋であって、外周に容器の開口部の縁と嵌合する嵌合溝（嵌合部）２を有する天板部３と、嵌合溝２の側壁から連続して設けられた舌片（把持部）４と、舌片４が略下方に折り曲げられたときに、舌片４を下向きに固定する固定部５とを備えて形成されている。
【００１４】
蓋１はポリスチレン、ポリプロピレン、ポリ塩化ビニル等の熱可塑性樹脂又はこれらの樹脂にフィラーを追加したものを、真空成形、圧空成形、真空圧空成形、あるいは射出成形等の公知の成形方法で加工することにより得ることができる。
【００１５】
天板部３は、天板上面６と、天板上面６の外周から延出する天板側面７とを有して形成されている。天板上面６は容器の開口部を覆い、外周部８に比して中心部９が一段低く形成されている。中心部９より相対的に突出した外周部８の上面の一部は切り取られており、飲み口１０が設けられている。天板側面７は、天板上面６の周縁から側面視において下方に緩やかに広がるテーパ状に形成され、天板側面７の下端に嵌合溝２が設けられている。
【００１６】
図２（ａ）に示すように、嵌合溝２は嵌合突起１１と嵌合側壁１２とから形成される。嵌合突起１１は、天板側面７の下端から下方にわずかに延出した側面が上方に折り返されて、平面視環状に形成される。嵌合側壁１２は、嵌合突起１１の端部が下方に折り返されて形成されている。また、嵌合側壁１２の外側面には、断続的に係合凸部１３が内側に突出して設けられている。
【００１７】
舌片４は、飲み口１０付近と、天板部３におけるその対称位置との２箇所の嵌合側壁１２の下端から略水平に延出して設けられており、水平に形成された周縁部１４と、周縁部１４より一段高く形成された中央部１５とを有する。
【００１８】
固定部５は、嵌合側壁１２の下端から延出して設けられ、一対の第１係合突起１６を有する第１基部１７と、舌片４から延出し、かつ第１基部１７と一体に形成され、一対の第２係合突起１８を有する第２基部１９とからなる。すなわち、舌片４は、固定部５を介して嵌合側壁１２と連続している。
【００１９】
図２（ａ）に示すように、第１係合突起１６は第１基部１７の両端に下方に突出して設けられている。第２係合突起１８は、図１に示すように、第２基部１９の両端に、舌片４の長手方向に沿って第１係合突起１６と並ぶように上方に突出して設けられている。第１係合突起１６の径は第２係合突起１８より若干小さく形成されている。
【００２０】
第１基部１７と第２基部１９の境界には、ハーフカットで形成され、舌片４を下方に折り曲げやすくする第１罫線（折り曲げ補助部）２０が舌片の幅方向に沿って設けられ、第２基部１９と舌片４との境界には、ハーフカットで形成され、舌片４を上方に折り曲げやすくする第２罫線２１が幅方向に沿って設けられている。
【００２１】
上記のように構成された蓋１の動作について、以下に説明する。
飲料等を充填した紙コップ（容器）２２の縁に形成されたリム２３に対して、図２（ａ）に示すように嵌合溝２が嵌合するように上から蓋１を押し付ける。リム２３は嵌合側壁１２の側面に設けられた係合凸部１３を弾性変形させて乗り越え、さらに嵌合突起１１及び嵌合側壁１２を弾性変形させて、嵌合突起１１と嵌合側壁１２との間に嵌合する。このとき、係合凸部１３の上面にリム２３の下面が支持されて、図３に示すように蓋１が紙コップ２２に確実に装着される。
【００２２】
続いて、第２基部１９を第１罫線２０に沿って下方に、かつ舌片４を第２罫線２１に沿って上方に折り曲げると、第２基部１９が第１罫線２０を軸として反転し、第２係合突起１８を下に凸にして第１基部１７の下方に移動する。第２係合突起１８を第１係合突起１６にかぶせるように移動させると、図２（ｂ）に示すように第１係合突起１６と第２係合突起１８とが係合し、第２基部１９が第１基部１７の下方に固定される。同時に舌片４は下方に折り曲げられて、周縁部１４が紙コップ２２の側面に沿うように略下向きに固定される。
【００２３】
舌片４の中央部１５の上から紙コップ２２を把持した状態で、天板上面６に設けられた飲み口１０から紙コップ２２の内容物を摂取することができる。
【００２４】
本発明の蓋１によれば、把持すると手と紙コップ２２の側面との間に舌片４が介在するため、紙コップ２２の内容物の熱や冷気が把持する手に伝導しにくくなり、把持しやすくすることができる。
【００２５】
また、固定部５に第１罫線２０と第２罫線２１が設けられているため、舌片４の折り曲げ及び第１係合突起１６と第２係合突起１８との係合がスムーズに行えるので、蓋１を把持しやすい形状に容易に変化させることができる。
また、第１係合突起１６と第２係合突起１８との係合によって舌片４が略下向きに固定されるので、固定後に手を離しても舌片４が水平に戻らず、蓋１を把持しやすい形状に維持することができる。
【００２６】
加えて、舌片４は周縁部１４のみで紙コップ２２の側面に接するため、把持した際に舌片４と紙コップ２２の側面との接触面積が小さくなり、伝熱経路を規制して断熱効果を高めることができる。さらに、中央部１５と紙コップ２２の側面との間に空間が確保されるため、より断熱効果を高めることができる。
【００２７】
また、紙コップ２２の開口部を覆う天板部３が、紙コップ２２から内容物がこぼれるのを防ぐため、紙コップ２２の開口部を蓋で覆いつつ、部品点数を増やさずに把持しやすくすることができる。
【００２８】
さらに、嵌合溝２の嵌合側壁１２の側面に係合凸部１３が設けられているため、蓋１が確実に紙コップ２２に装着される。
また、天板上面６に飲み口１０が設けられているため、舌片４の上から紙コップ２２を把持したままで、内容物を摂取することができる。
【００２９】
加えて、天板部３及び舌片４が一体となってほぼ平面に形成されているので、真空成形等で容易に蓋１を作製することができる。また、積み重ねても場所をとらないので、輸送や保管に適している。
【００３０】
そして、容器に発泡層を形成しなくても、蓋を装着するだけで容器に熱い飲料等が充填されていても把持しやすくできるので、低コストで把持しやすい容器を構成することができる。
【００３１】
本実施形態においては、舌片４が２箇所に設けられている例を説明したが、本発明はこれに限定されるものではなく、舌片４は１箇所であっても、３箇所以上設けられてもよい。ただし、充分に断熱性を向上させるには、少なくとも２箇所以上設けられるのが好ましい。
【００３２】
また、第１係合突起１６及び第２係合突起１８は、両者が係合可能に構成されていれば、あらゆる形状及び個数に設定可能である。例えば、本実施形態の形状に代えて、舌片４が水平の状態において、第１係合突起１６が上方に突出し、第２係合突起１８が下方に突出するよう形成されていてもよいし、第１係合突起１６及び第２係合突起１８が３個以上設けられていてもよい。
さらに、本実施形態においては、ハーフカットで第１罫線２０及び第２罫線２１を設けているが、これに代えて、スリットや切り欠き等を設けて舌片４を折り曲げ容易に構成してもよい。
【００３３】
続いて、本発明の第２実施形態について図４から図６を参照して説明する。第２実施形態と上述の第１実施形態の異なる点は、固定部の形状である。
なお、上述の第１実施形態と同様の構成要素には同一の符号を付し、重複する説明を省略する。
【００３４】
図４は本実施形態の蓋３１の平面図である。図４に示すように、本実施形態の蓋３１においては、各舌片３２が、嵌合側壁１２から外側に略水平に延出する基部３３から外側に略水平に延出して設けられている。すなわち、各舌片３２は基部３３を介して嵌合側壁１２と連続している。基部３３の左右の端部には、それぞれ挟持凸部（固定部）３４が下方に突出して設けられている。また、基部３３と舌片３２との間には舌片３２の幅方向に沿ってハーフカットによって罫線３５が設けられている。
【００３５】
舌片３２は平坦な周縁部３６と、下に向かって凸に形成された中央部３７とからなる。図５（ａ）に示すように、中央部３７は、舌片３２の幅方向に平行に形成された稜線３８より内側の第１側面３９と、外側の第２側面４０と、左右の側面とから形成され、稜線３８を最下端として下方に凸の形状を形成している。また、中央部３７の左右の側面には、周縁部３６に対して垂直に所定の幅の切り欠き４１が設けられている。
【００３６】
基部３３との境界付近における中央部３７の幅寸法は、左右の挟持凸部３４間に挟持されるように、左右の挟持凸部３４間の長さより若干大きな値に設定されている。また中央部３７の幅方向中央には、図４に示すように、補強リブ（凹凸部）４２が長手方向に沿って周縁部３６の高さまで上方に突出して設けられている。
【００３７】
上記のように構成された蓋３１の使用時の動作について、以下に説明する。
第１実施形態と同様の動作で蓋３１を紙コップ２２に装着し、罫線３５に沿って舌片３４を下方に折り曲げると、中央部３７が罫線３５を軸として紙コップ２２の側面に近づくように回転移動する。
【００３８】
さらに舌片３２を折り曲げると、中央部３７のうち、第１側面３９と隣接する左右側面とで形成される部分が、図５（ｂ）に示すように、挟持凸部３４を弾性変形させて挟持凸部３４間に進入する。進入後、挟持凸部３４の下端は中央部３７の左右の側壁に設けられた切り欠き４１に係合する。
すなわち、中央部３７の底面は挟持凸部３４の弾性力と切り欠き４１とによって紙コップ２２の側面に沿った状態で支持固定され、図６に示すように舌片３２が略下向きに維持される。
【００３９】
本実施形態の蓋３１によれば、挟持凸部３４が舌片３２を挟持することによって舌片３２が略下向きに固定されるので、固定後に手を離しても舌片３２が水平に戻らず、蓋３１を把持しやすい形状に維持することができる。また、挟持凸部３４が舌片３２を挟持する際に、挟持凸部３４と中央部３７の左右の側壁に設けられた切り欠き４１が係合するので、舌片３２を確実に略下向きに固定することができる。
【００４０】
さらに、舌片３２に補強リブ４２が設けられているため、把持した際に中央部３７が変形しにくく、安定して把持することができる。さらに、補強リブ４２によって、把持する手と紙コップ２２の側面との間に空間が確保されるので、断熱効果が高まり、より把持しやすい蓋を構成することができる。
【００４１】
続いて、本発明の第３実施形態について図７及び図８を参照して説明する。第３実施形態と上述の第１実施形態の異なる点は、固定部の位置と、把持部の形状である。
なお、上述の第１実施形態と同様の構成要素には同一の符号を付し、重複する説明を省略する。
【００４２】
図７は本実施形態の蓋５１の平面図である。本実施形態の第１係合突起５２は、飲み口１０に隣接する位置から左右に９０度回転した位置の嵌合側壁１２の下端から略水平に延出した第１係合舌片（固定部）５３上に、嵌合側壁１２に対する接線と平行に２つ並んで下方に突出して形成されている。
【００４３】
本実施形態の把持部５４は、嵌合側壁１２から略水平に延出する基部５５から延出して設けられており、基部５５を介して嵌合側壁１２と連続している。基部５５は２箇所あり、飲み口１０に隣接する嵌合側壁１２と、天板部３を挟んだ対称位置の嵌合側壁１２とからそれぞれ延出している。
【００４４】
把持部５４は、平面視において嵌合溝２の円弧と基部５５を挟んでほぼ線対称となるように、基部５５の端部から逆側に広がる半円弧状に形成されている。把持部５４は、天板部３を上にした状態で略上方に所定の高さまで上行する外周部５６と、外周部５６の端部が折り返されて再び基部５５と同じ高さまで下行する内周部５７とからなり、断面が逆Ｕ字状をなす２層構造となっている。外周部５６及び内周部５７の高さは、後述するように天板部３の下方に移動したときに、少なくとも紙コップの開口部側の側面を覆う程度の寸法とする。
【００４５】
また、図８に示すように、各把持部５４の左右の端部の下端からは円弧の外側に向かって略水平に第２係合舌片（固定部）５８が延出し、第２係合舌片５８上には、第２係合突起５９が第１係合突起５２と同一直線状に並ぶように上方に突出して形成されている。
【００４６】
上記の構成を備えた蓋５１の動作について説明する。紙コップ２２に蓋５１を装着し、把持部５４を下方に折り曲げると、把持部５４は基部５５を回転軸として、図８に示すように回転しながら天板部３の下方に紙コップ２２の側面に沿うように移動する。
【００４７】
把持部５４の左右の第２係合突起５９を嵌合側壁１２の第１係合突起５２に係合させると、把持部５４が天板部３の下方に固定され、紙コップ２２の開口部側の側面が全周にわたって把持部５４によって覆われる。
【００４８】
本実施形態の蓋５１によれば、把持部５４によって紙コップ２２の開口部側の側面が全周にわたって覆われるので、熱い飲料等が充填されているときに把持しやすい箇所が限定されず、より把持しやすく蓋を構成することができる。
【００４９】
また、把持部５４が外周部５６及び内周部５７の２層構造となっているため、外周部５６と内周部５７との間に空間が形成されるので、より高い断熱効果を得ることができ、より把持しやすくすることができる。
【００５０】
また、把持部５４を下方に折り曲げるだけで第１係合突起５２と第２係合突起５９の係合が行えるので、固定のために多段階の折り曲げを必要とせず、簡便な操作で蓋５１を把持しやすい形状に変化させることができる。
【００５１】
続いて、本発明の第４実施形態について図９及び図１０を参照して説明する。第４実施形態と上述の第１実施形態の異なる点は、固定部の位置と、把持部の形状である。
なお、上述の第１実施形態と同様の構成要素には同一の符号を付し、重複する説明を省略する。
【００５２】
図９に平面図で示すように、本実施形態の蓋６１の舌片（把持部）６２は、嵌合側壁１２から略水平に延出する基部６３から外側に略水平に延出して設けられている。すなわち、舌片６２は基部６３を介して嵌合側壁１２から連続している。基部６３の位置及び形状は、上述の第３実施形態と概ね同様である。また、舌片６２には、円形の凹凸部６４が、上方に凸となるよう、多数形成されている。
【００５３】
各舌片６２の基部付近からは、舌片６２の幅方向に沿って右腕部６５及び左腕部６６が略水平に延出している。右腕部６５の端部から左腕部６６の端部までの長さは、嵌合溝２の外周の約１／２の長さに設定され、右腕部６５の端部上には、第１ダボ（固定部）６７が、左腕部６６の端部上には第１ダボ６７より径の大きい第２ダボ（固定部）６８がそれぞれ下方に突出して設けられている。一方の舌片の第１ダボ６７と他方の舌片の第２ダボ６８は、係合可能な位置及び径の大きさに形成されている。
【００５４】
上記のように構成された蓋６１の使用時の動作について、以下に説明する。
図１０に示すように、紙コップ２２に装着した蓋６１の舌片６２を、基部６３を支点として下方に折り曲げる。右腕部６５及び左腕部６６を紙コップ２２の側面に沿うように湾曲させ、一方の舌片の第２ダボ６８に他方の舌片の第１ダボ６７を係合させると、２枚の舌片６２がともに略下向きに固定される。
【００５５】
本実施形態の蓋６１によれば、互いの舌片６２の第１ダボ６７と第２ダボ６８とを係合させて下向きに固定するので、簡便に紙コップ２２の側面の全周にわたって把持部を形成して把持しやすくすることができる。また、舌片６２上に凹凸部６４が設けられているので、舌片６２と紙コップ２２の側面の接触面積が減少し、伝熱経路が規制される。したがって、より把持しやすく蓋を構成することができる。
【００５６】
以上、本発明の実施形態について説明してきたが、本発明の技術範囲は上記実施の形態に限定されるものではなく、本発明の趣旨を逸脱しない範囲において種々の変更を加えることが可能である。
例えば上述の各実施形態においては、凹凸部の例として補強リブや円形のものを説明したが、凹凸部の形状はこれらには限定されず、他の任意の形状を採用することができる。これによって、紙コップ２に装着された際のデザイン性を高めることができる。
【００５７】
また、上述の各実施形態においては、紙コップに装着する例を説明したが、装着の対象となる容器はこれに限定されず、嵌合溝に開口部の縁が嵌合するものであれば、発泡スチロールや他の樹脂、金属等あらゆる材質の容器に装着して断熱性を向上させることが可能である。
【００５８】
また、対象となる容器は開口部が円形のものにも限定されず、対象容器の開口部と嵌合するように本発明の蓋を設計及び成形することで、あらゆる形状の開口部に装着可能に構成することができる。
【００５９】
さらに、上述の各実施形態においては、天板上面の一部が切り取られて飲み口が形成されている例を説明したが、これに代えて、スリットを設けるなどして、天板上面が大きく開き、容器の開口部とほぼ同じ大きさに開口するように蓋を形成してもよい。このようにすれば、固形の具材などを含む食品等が容器に充填されている場合でも、把持部を把持しつつ摂取することが可能である。
【図面の簡単な説明】
【００６０】
【図１】本発明の第１実施形態の蓋を示す平面図である。
【図２】（ａ）は図１のＡ−Ａ線における断面図、（ｂ）は（ａ）の状態から舌片を折り曲げた状態を示す断面図である。
【図３】同実施形態の蓋を紙コップに装着した状態を示す斜視図である。
【図４】本発明の第２実施形態の蓋を示す平面図である。
【図５】（ａ）は図４のＢ−Ｂ線における断面図、（ｂ）は（ａ）の状態から舌片を折り曲げた状態を示す断面図である。
【図６】同実施形態の蓋を紙コップに装着した状態を示す斜視図である。
【図７】本発明の第３実施形態の蓋を示す平面図である。
【図８】同実施形態の蓋を紙コップに装着した状態を示す斜視図である。
【図９】本発明の第４実施形態の蓋を示す平面図である。
【図１０】同実施形態の蓋を紙コップに装着した状態を示す斜視図である。
【符号の説明】
【００６１】
１、２１、３１、５１、６１…蓋、２…嵌合溝（嵌合部）、３…天板部、４、３２、６２…舌片（把持部）、５…固定部、１０…飲み口、１６、５２…第１係合突起、１８、５９…第２係合突起、２２…紙コップ（容器）、３４…挟持凸部（固定部）、３７…中央部、４２…補強リブ（凹凸部）、５３…第１係合舌片（固定部）、５４…把持部、５８…第２係合舌片（固定部）、６４…凹凸部、６７…第１ダボ（固定部）、６８…第２ダボ（固定部）
【図１】
2008184212.tif 000003
【図２】
2008184212.tif 000004
【図３】
2008184212.tif 000005
【図４】
2008184212.tif 000006
【図５】
2008184212.tif 000007
【図６】
2008184212.tif 000008
【図７】
2008184212.tif 000009
【図８】
2008184212.tif 000010
【図９】
2008184212.tif 000011
【図１０】
2008184212.tif 000012